(57)【要約】本発明は、外形変換による移動体通信の短文メッセージ表示方法に関し、特に、文字メッセージを受信者に見せるとき、既存の改行による画一的な四角形形式ではなく、多様な模様に変換してディスプレイすることにより、視覚的な単調さによる短文メッセージサービスの質的低下を防ぎ、これにより、使用者の満足度を極大化する技術に関する。本発明によると、文字メッセージを受信者に見せるとき、既存の改行による画一的な四角形形式ではなく、多様な模様に変換してディスプレイすることにより、視覚的な単調さによる短文メッセージサービスの質的低下を防ぎ、これにより、使用者の満足度を極大化するという優れた効果がある。また、既に構成された文字及び特殊文字からなって人たちが見知る内容を構成するエモーティコンを追加するものではないので、特殊文字を多く活用しなくてもよく、携帯端末の文字セットが同一ではなくても、該当地域の基本言語をサポートすると、適用可能であるという長所がある。
2010519564.tif 000002
【特許請求の範囲】
【請求項１】
移動体通信端末に適用するための短文メッセージの表示方法であって、
メッセージセンターから短文メッセージを受信する段階と、
複数個の横方向の１バイト文字表示空間と、複数個の縦方向の１バイト文字表示空間との文字マトリクスで構成された複数個の１バイト文字表示空間に特定の文字を表示し、各ＡＳＣＩＩ文字の形態を簡略に示すドット・マトリクス文字からなるドット・マトリクス文字テーブルを認識する段階と、
前記短文メッセージに含まれた各ＡＳＣＩＩ文字を前記ドット・マトリクス文字テーブル内の対応するドット・マトリクス文字で表示し、前記ドット・マトリクス文字が整列されるように、前記短文メッセージの外形を変換する段階と
を備える、移動体通信の短文メッセージ表示方法。
【請求項２】
前記入力された短文メッセージの長さを確認し、前記短文メッセージをドット・マトリクス文字で表示する場合に占めるバイト数と前記移動体通信端末の表示可能なバイト数を比較し、前記短文メッセージがドット・マトリクス文字の表示に適合するか否かを判断する段階をさらに備える、請求項１に記載の移動体通信の短文メッセージ表示方法。
【請求項３】
前記ドット・マトリクス文字テーブルを認識する段階において、ドット・マトリクス文字テーブルは、１６バイトサイズのドット・マトリクス文字を含み、該ドット・マトリクス文字の各々は、４個の横方向の１バイト文字表示空間と、４個の縦方向の１バイト文字表示空間とで構成された文字マトリクスを形成する１６個の文字表示空間で構成されている、請求項２に記載の移動体通信の短文メッセージ表示方法。
【請求項４】
前記入力された短文メッセージにエモーティコン文字が含まれているか否かをチェックする段階と、
エモーティコン文字が含まれている場合に、前記短文メッセージを外形変換せずにそのまま表示する段階と
をさらに備える、請求項１乃至３のいずれか一項に記載の移動体通信の短文メッセージ表示方法。
【請求項５】
移動体通信端末に適用するための短文メッセージの表示方法であって、
メッセージセンターから短文メッセージを受信する段階と、
大文字を数種含む大文字テーブルを認識する段階であって、前記大文字の各々は、１バイトの文字単位で外郭線を形成することにより示された１つの大文字の形態で表示される、前記大文字テーブルを認識する段階と、
前記入力された短文メッセージの長さを確認し、かつ前記短文メッセージの表現に適合した外郭線の長さを有する大文字を検索することにより、最適の大文字を選択する段階と、
前記短文メッセージが、前記選択された大文字の外郭線に沿って表示されるように、前記短文メッセージの外形を変換する段階と
を備える、移動体通信の短文メッセージ表示方法。
【請求項６】
前記大文字を選択する段階は、
前記入力された短文メッセージに含まれた単語を分析してキーワードを検出する段階と、
前記大文字テーブルに保存されたキーワードのうち、前記短文メッセージから検出されたキーワードに対応するキーワードを検索する段階と、
前記検索されたキーワードに対応する大文字を選択する段階と
を含む、請求項５に記載の移動体通信の短文メッセージ表示方法。
【請求項７】
前記短文メッセージの外形を変換する段階は、
移動体通信端末の画面を１バイト文字領域に分割し、前記文字領域が前記画面に表示される順に、前記文字領域に番号を付ける段階と、
前記大文字テーブルに保存された各大文字の外郭線の表示順序を認識する段階と、
前記選択された大文字の外郭線を構成する文字表示空間に対応する画面分割領域の一連番号を、前記大文字の外郭線の表示順序に従って配列する段階と、
前記配列された一連番号に、前記短文メッセージを構成する１バイト文字を１つずつ対応させる段階と、
前記配列された一連番号の画面分割領域に前記１バイト文字がそれぞれ配置され、前記配列された一連番号に属しない画面分割領域は、空白文字で満たされるように、短文メッセージを生成する段階と
を含む、請求項５または６に記載の移動体通信の短文メッセージ表示方法。
【請求項８】
前記入力された短文メッセージにエモーティコン文字が含まれているか否かをチェックする段階と、
エモーティコン文字が含まれている場合に、前記短文メッセージを外形変換せずにそのまま表示する段階と
をさらに含む、請求項７に記載の移動体通信の短文メッセージ表示方法。
【請求項９】
移動体通信端末に適用するための短文メッセージの表示方法であって、
メッセージセンターから短文メッセージを受信する段階と、
複数の文字列図形を含む文字列図形テーブルを認識する段階であって、前記複数の文字列図形の各々は、左右上下に多様な長さを有する文字列を配置することにより得られる特定の外形を有する、前記文字列図形テーブルを認識する段階と、
前記入力された短文メッセージを単語に分割し、分割された前記単語の長さを順次認識する段階と、
前記短文メッセージ内の全ての単語が、切断されることなく各文字列内に表示可能な文字列図形を検索するために、前記分割された単語の長さと対応する文字列の長さとを比較して最適の文字列図形を選択する段階と、
前記短文メッセージの中間位置に特定の文字を挿入することにより、前記短文メッセージが前記選択された文字列図形で表示されるように、前記短文メッセージの外形を変換する段階と
を備える、移動体通信の短文メッセージ表示方法。
【請求項１０】
前記文字列図形を選択する段階は、
前記入力された短文メッセージに含まれた単語を分析してキーワードを検出する段階と、
前記文字列図形テーブルの各文字列図形に付与された代表キーワードを認識する段階と、
前記代表キーワードのうち、前記短文メッセージから検出されたキーワードに対応する代表キーワードを検索する段階と、
検索された前記代表キーワードに対応する文字列図形を選択する段階と
を含む、請求項９に記載の移動体通信の短文メッセージ表示方法。
【請求項１１】
前記文字列図形を選択する段階は、
前記文字列図形テーブルの各文字列図形に付与された回避キーワードを認識する段階と、
前記短文メッセージから検出されたキーワードを回避キーワードとして有する文字列図形を除いた文字列図形のうち、最適の文字列図形を選択する段階と
をさらに含む、請求項１０に記載の移動体通信の短文メッセージ表示方法。
【請求項１２】
前記入力された短文メッセージにエモーティコン文字が含まれているか否かをチェックする段階と、
エモーティコン文字が含まれている場合、前記短文メッセージを外形変換せずにそのまま表示する段階と
をさらに含む、請求項９乃至１１のいずれか一項に記載の移動体通信の短文メッセージ表示方法。
【請求項１３】
移動体通信端末に適用するための短文メッセージの表示方法であって、
メッセージセンターから短文メッセージを受信する段階と、
前記短文メッセージが縦に表示され、列間には空白文字が表示されるように、前記短文メッセージ内に含まれる文字を再配置し、空白文字を挿入して、前記短文メッセージの外形を変換する段階と
を備える、移動体通信の短文メッセージ表示方法。
【請求項１４】
前記入力された短文メッセージにエモーティコン文字が含まれているか否かをチェックする段階と、
エモーティコン文字が含まれている場合、前記短文メッセージを外形変換せずにそのまま表示する段階と
をさらに含む、請求項１３に記載の移動体通信の短文メッセージ表示方法。
【発明の詳細な説明】
【技術分野】
【０００１】
本発明は、外形変換による移動体通信の短文メッセージ表示方法に関し、特に、文字メッセージを受信者に見せるとき、既存の改行による画一的な四角形形式ではなく、多様な模様に変換してディスプレイすることにより、視覚的な単調さによる短文メッセージサービスの質的低下を防ぎ、これにより、使用者の満足度を極大化する技術に関する。
【背景技術】
【０００２】
最近、文字メッセージは、移動体通信データ通信市場において、最大な規模の市場を形成しているが、韓国内の場合、ＷＡＰデータ市場と比較するとき、これに対する付加サービスを相対的に多様に提供していない実情である。現在、提供される文字メッセージの代表的な付加サービスとしては、天気、スポーツ、株式等の情報提供サービス、インターネットウェブを基本とするＷｅｂ  ｔｏ  Ｐｈｏｎｅサービスにおいて、装飾メッセージの購買／伝送と、一般メッセージの作成／伝送サービス、また、Ｐｈｏｎｅ  ｔｏ  Ｐｈｏｎｅ方式のエモーティコン装飾サービス等がある。
【０００３】
文字伝送量の大部分を個人間メッセージ伝送が占めているので、Ｐｈｏｎｅ  ｔｏ  Ｐｈｏｎｅ方式以外のサービスは、未だ市場が微弱である。Ｐｈｏｎｅ  ｔｏ  Ｐｈｏｎｅ方式のエモーティコン装飾サービスは、個人間メッセージ伝送方式であり、発展可能性が高いが、文字エモーティコン装飾が単調であり、単語認識による装飾を除外すれば、持続的な関心が得難い。
【０００４】
ＧＳＭは、メーカー別に端末の文字セットが異なり、そのうち共通文字のみでエモーティコンを作成しなければならないので、エモーティコンが多様ではなく、それにより、サービスの品質が低下する。特に、単語認識による装飾の場合、認識が正確であれば、サービス使用者に満足感を与えるが、認識が誤ると、却って不満足をもたらす。これは、正確な認識そのものが困難であるという問題があった。
【０００５】
携帯端末のサポート文字セットが異なる場合の問題点は、以下の通りである。韓国で製造される多くの携帯電話は、「ＫＳＣ５６０１−１９８７」の文字セットをサポートする。しかしながら、海外市場は事情が異なる。例えば、中国ＧＳＭの場合は、エモーティコンが韓国に比べて広く認識されておらず、ウェブでも韓国のように広く使用されていない。それにより、本文メッセージである簡字体の漢字はよく伝達されるが、アウトラインを示す文字は、これをサポートする携帯端末とサポートしない携帯端末が混在されている。すなわち、携帯端末がサポートする文字セットが異なる場合、各携帯端末でサポートする文字セットの共通集合は、少数の文字のみを含み、これは、エモーティコン・コンテンツの内容を制限するようになり、サービスの質的低下につながるという問題点があった。
【発明の概要】
【発明が解決しようとする課題】
【０００６】
本発明は、前記問題点に鑑みなされたものであり、文字メッセージを受信者に見せるとき、既存の改行による画一的な四角形形式ではなく、多様な模様に変換してディスプレイすることにより、外形の単調さによる短文メッセージサービスの質的低下を防ぎ、これにより、使用者の満足度を極大化する技術を提供することを目的とする。
【０００７】
また、既に構成された文字及び特殊文字からなって人たちが見知る内容を構成するエモーティコンを追加するものではないので、特殊文字を多く活用せず、携帯端末の文字セットが同一ではなくても、該当地域の基本言語をサポートすると、適用可能な技術を提供することを他の目的とする。
【課題を解決するための手段】
【０００８】
本発明の外形変換による移動体通信の短文メッセージ表示方法の第１実施例は、メッセージセンターから短文メッセージを受信する段階と、複数個の横方向の１バイト文字表示空間と、複数個の縦方向の１バイト文字表示空間との文字マトリクスで構成された複数個の１バイト文字表示空間に特定の文字を表示し、各ＡＳＣＩＩ文字の形態を簡略に示すドット・マトリクス文字からなるドット・マトリクス文字テーブルを認識する段階と、短文メッセージに含まれた各ＡＳＣＩＩ文字をドット・マトリクス文字テーブル内の対応するドット・マトリクス文字で表示し、ドット・マトリクス文字が整列された形態で表示されるように、短文メッセージの外形を変換する段階と、を含んで構成される。
【０００９】
本発明の外形変換による移動体通信の短文メッセージ表示方法の第２実施例は、メッセージセンターから短文メッセージを受信する段階と、大型文字を数種含む大文字テーブルを認識する段階であって、大文字の各々は、１バイトの文字単位で外郭線を形成することにより示された１つの大文字の形態で表示される、大文字テーブルを認識する段階と、入力された短文メッセージの長さを確認し、かつ短文メッセージの表現に適合した外郭線の長さを有する大文字を検索することにより、最適の大文字を選択する段階と、短文メッセージが、選択された大文字の外郭線に沿って表示されるように、短文メッセージの外形を変換する段階と、を含んで構成される。
【００１０】
本発明の外形変換による移動体通信の短文メッセージ表示方法の第３実施例は、メッセージセンターから短文メッセージを受信する段階と、複数の文字列図形を含む文字列図形テーブルを認識する段階であって、複数の文字列図形の各々は、左右上下に多様な長さを有する文字列を配置することにより得られる特定の外形を有する、文字列図形テーブルを認識する段階と、入力された短文メッセージを単語に分割し、分割された単語の長さを順次認識する段階と、短文メッセージ内の全ての単語が切断されることなく各文字列内に表示可能な文字列図形を検索するために、最適の文字列図形を選択する段階と、短文メッセージの中間位置に特定の文字を挿入することにより、短文メッセージが選択された文字列図形で表示されるように、短文メッセージの外形を変換する段階と、を含んで構成される。
【００１１】
本発明の外形変換による移動体通信の短文メッセージ表示方法の第４実施例は、メッセージセンターから短文メッセージを受信する段階と、短文メッセージが縦に表示され、列間には、空白文字が表示されるように、短文メッセージ内に含まれる文字を再配置し、空白文字を挿入して、短文メッセージの外形を変換する段階と、を含んで構成される。
【発明の効果】
【００１２】
本発明の外形変換による移動体通信の短文メッセージ表示方法によると、文字メッセージを受信者に見せるとき、既存の改行による画一的な四角形形式ではなく、多様な模様に変換してディスプレイすることにより、視覚的な単調さによる短文メッセージサービスの質的低下を防ぎ、これにより、使用者の満足度を極大化するという長所がある。
【００１３】
また、既に構成された文字及び特殊文字からなって人たちが見知る内容を構成するエモーティコンを追加するものではないので、特殊文字を多く活用しなくてもよく、携帯端末の文字セットが同一ではなくても、該当地域の基本言語をサポートすると、適用可能であるという長所がある。
【図面の簡単な説明】
【００１４】
【図１】本発明を具現するための移動体通信網の構成図である。
【図２】本発明が適用された移動体通信端末の内部構成図である。
【図３】本発明の第１実施例による短文メッセージ表示方法を示すフローチャートである。
【図４】本発明の第１実施例において、１６０バイトディスプレイが可能なＧＳＭ移動体通信端末を通じて、短文メッセージをドット・マトリクス文字に変換表示した画面と、ドット・マトリクス文字で示したアルファベットを示す図である。
【図５】本発明の第２実施例による短文メッセージ表示方法を示すフローチャートである。
【図６】本発明の第２実施例において、短文メッセージを大文字「Ｍ」の輪郭線に沿って表示した画面を示す図である。
【図７】本発明の第２実施例において、大文字「Ｚ」に沿って短文メッセージが表示される位置を数字で配置したものを示す図である。
【図８】本発明の第３実施例による短文メッセージ表示方法を示すフローチャートである。
【図９】本発明の第３実施例において、一定の文字数の文字列単位で菱形とハート形を表示する文字列図形を示す図である。
【図１０】本発明の第３実施例において、短文メッセージの表示に適合した文字列図形を選択する過程を示す図である。
【図１１】本発明の第４実施例による短文メッセージ表示方法を示すフローチャートである。
【図１２】本発明の第４実施例において、短文メッセージを縦に表示した画面を示す図である。
【発明を実施するための形態】
【００１５】
以下、添付した図面に基づき、本発明の好適な実施例について詳述する。
図１は、本発明を具現するための移動体通信網の構成図である。移動体通信網は、送信者端末１０、受信者端末２０、ＳＭＳ（ショートメッセージサービス）  Ｇ／Ｗ（Ｇａｔｅｗａｙ）３０、ＳＭＳセンタ４０、サービスサーバ５０、ＭＭＳセンタ６０、及びＭＭＳ受信端末７０で構成される。詳細には、送信者端末１０から伝送された短文メッセージがＳＭＳセンタ４０またはＭＭＳセンタ６０を通してサービスサーバ５０に入力されると、サービスサーバ５０は、短文メッセージを与えられた条件に従い、加工された形態で表示されるように、短文メッセージの外形を変換した後、受信者端末２０に伝送し、受信者端末２０は、上記外形変換された短文メッセージを使用者にディスプレイする。
【００１６】
本発明による移動体通信の短文メッセージ表示方法は、上述したようにサービスサーバ５０で行われてもよいが、受信者端末２０またはＭＭＳ受信端末７０または送信者端末１０で行われてもよい。送信者端末１０で行う場合、短文メッセージの伝送前に、送信者端末の使用者が伝送すべき短文メッセージの長さ（バイト数）に合う外形変換形態を選択し、それにより、短文メッセージの外形を変換し、その外形変換結果を直接受信者端末２０またはＭＭＳ受信端末７０に伝送することができ、この際、送信者は、送信者端末１０を通じて、気に入るまで伝送すべき短文メッセージをＷＩＺＷＩＧ方式で変化させることができる。
【００１７】
図２は、本発明が適用された移動体通信端末の内部構成図であって、本明細書では、図１の受信者端末２０に適用された実施例として説明する。受信者端末２０は、デュープレクサー２１、送信部２２、受信部２３、制御部２４、メモリ２５、表示部２６で構成される。デュープレクサー２１は、アンテナを介して基地局と通信して送受信信号を分離し、送信部２２は、無線信号をデュープレクサー２１に出力し、受信部２３は、デュープレクサー２１から入力された無線信号を制御部２４に出力する。
【００１８】
制御部２４は、移動体通信端末の全般的な動作を制御するが、特に、受信部２３から短文メッセージを入力されると、その長さ（バイト数）を感知した後、それに合う外形変換形態をメモリ２５から選択し、以降、その選択された外形変換形態に合わせて短文メッセージを変換して表示部２６に出力する。メモリ２５は、端末の全般的な動作を制御する所定のプログラムを保存し、表示部２６は、制御部２４を通じて外形変換された短文メッセージを使用者にディスプレイする。
【００１９】
図３は、本発明の第１実施例による短文メッセージ表示方法を示すフローチャートである。先ず、メッセージセンターから短文メッセージを受信する（Ｓ１１）。短文メッセージの受信主体はサービスサーバであってもよく、短文メッセージの変換が端末で行われる場合は、受信者端末が短文メッセージの受信主体であってもよい。
【００２０】
次いで、各ＡＳＣＩＩ文字の形態を簡略に示すドット・マトリクス文字からなるドット・マトリクス文字テーブルを認識する（Ｓ１２）。ドット・マトリクス文字とは、複数個の横方向の１バイト文字表示空間と、複数個の縦方向の１バイト文字表示空間との文字マトリクス（Ｎ×Ｍの文字マトリクス）で構成された複数個の１バイト文字表示空間に特定の文字を表示して文字形態を示したものである。厳密に言うと、一般の文字ディスプレイも、数個のピクセルが集まって文字を表示するのでドット・マトリクス文字と言えるが、本発明でのドット・マトリクス文字は、１バイト単位の文字表示領域を１つのピクセルのように取り扱うことにより、数個の文字が表示され得る空間に、１つの文字形態を表示することを意味する。
【００２１】
この際、ドット・マトリクス文字を画面に表示するためには、短文メッセージをそのまま画面に表示することに比べて長さにおいて限界がある。例えば、４×４の文字マトリクスで１つのドット・マトリクス文字を構成する場合であれば、計１６個の１バイト文字が表示される空間を１つの文字形態の表示に用い、文字間の空白に２０バイトの４×５の文字マトリクス空間が必要であるので、本来表示可能な短文メッセージの長さの１／２０をドット・マトリクス文字で表示可能である。しかしながら、各ラインの終わりには空白が必要でないので、本来表示可能な短文メッセージの長さに比べて、約１／１８乃至１／１９の長さをドット・マトリクス文字で表示することができる。従って、入力された短文メッセージの長さを確認し、ドット・マトリクス文字の表示に所要するバイト数と移動体通信端末の表示可能なバイト数を比較することにより、入力された短文メッセージがドット・マトリクス文字の表示に適合するか否かを判断する段階をさらに含んでもよい。
【００２２】
移動体通信に応じて表示可能なバイト数が異なるが、例えば、ＣＤＭＡ方式の場合は、計８０バイトの文字表示が可能であり、ＧＳＭ方式の場合は、計１６０バイトの文字表示が可能である。従って、文字マトリクスを、５個の横方向の１バイト文字表示空間と、４個の縦方向の１バイト文字表示空間とで構成し、計２０個の文字表示空間で構成された２０バイトサイズのドット・マトリクス文字を示すように構成する場合は、ＣＤＭＡの場合、４個のドット・マトリクス文字を表示することができ、ＧＳＭの場合は、８個のドット・マトリクス文字を表示することができる。すなわち、表示可能な短文メッセージの長さが極めて限定されることが分かる。
【００２３】
次に、短文メッセージに含まれた各ＡＳＣＩＩ文字をドット・マトリクス文字テーブル内の対応するドット・マトリクス文字で表示することにより、ドット・マトリクス文字が整列された形態で表示されるように、短文メッセージの外形を変換する（Ｓ１３）。短文メッセージにエモーティコン文字が含まれていると、使用者がメッセージ外形変換を希望していないと判断することができるので、入力された短文メッセージをチェックし、エモーティコン文字が含まれていると、短文メッセージを外形変換せず、そのまま表示する段階をさらに含んでもよい。
【００２４】
図４は、本発明の第１実施例において、１６０バイトディスプレイが可能なＧＳＭ移動体通信端末を通じて、短文メッセージをドット・マトリクス文字に変換表示した画面と、ドット・マトリクス文字で示したアルファベットを示す図である。図４（Ａ）の場合、横２０バイト、縦８行で画面が表示されるＧＳＭ移動体通信端末を挙げているが、画面上に、１バイト文字を基準として、横３文字、縦４文字で構成されたドット・マトリクス文字が表示されている。すなわち、ドット・マトリクス文字が、横５文字、縦２文字で計１０文字が表示可能である。入力された短文メッセージの「Ｉ  ｌｏｖｅ  ｙｏｕ」は、計８文字と２文字空間の空白とで構成されてるいが、ここでは、空白を無視し、計８文字に該当する内容をドット・マトリクス文字に変換して見せている。しかしながら、このように３×４の文字マトリクスで表現可能なアルファベットの種類には限界があるので、文字マトリクスを３×５、４×５、５×５まで拡張して混用する必要がある。このように、ドット・マトリクス文字の大きさを拡張して表現したアルファベットが、図４（Ｂ）に示されている。
【００２５】
図４（Ｂ）は、２６文字のアルファベットを３×５、４×５、５×５の文字マトリクスで構成したドット・マトリクス文字で示した図である。１つのアルファベットを４×４の文字マトリクスのドット・マトリクス文字に変換する場合、一部のアルファベットは表現が不可能であり、他の一部のアルファベットは可読性に劣る。従って、ドット・マトリクス文字を構成するバイト数を一部拡張し、各アルファベットを示すドット・マトリクス文字を混用することにより、全てのアルファベットをドット・マトリクス文字で表示することができ、可読性を高めることができる。このように、他のドット・マトリクス文字を混用して用いる場合は、ドット・マトリクス文字で表示されるメッセージのバイト数を画一的に計算することができないので、アドホック（ａｄ−ｈｏｃ）を通じてドット・マトリクス文字に変換された短文メッセージが文字伝送可能な最大容量を違反していないかを計算する。
【００２６】
図５は、本発明の第２実施例による短文メッセージ表示方法を示すフローチャートである。先ず、メッセージセンターから短文メッセージを受信する（Ｓ２１）。また、数種の大文字を含んでいる大文字テーブルを認識する（Ｓ２２）。この際、大文字とは、１バイト文字単位で外郭線を形成し、Ａ、Ｂ、Ｃ等のアルファベットのような１つの大きな文字形態で表示したものを意味する。大文字の具体的な表示例は、図６と図７に示されている。
【００２７】
次に、入力された短文メッセージの長さを確認し、短文メッセージの表現に適合した外郭線の長さを有する大文字を検索することにより、最適の大文字を選択する（Ｓ２３）。上記段階は、大文字の種類に応じて外郭線の長さが異なるので、短文メッセージが切られないながら大文字の外郭線を全て表示することができる場合を選択するためのものである。この際、最適の大文字の選択を助けるために、大文字テーブルには、各大文字毎に象徴的なキーワードを付与しておくことにより、該当短文メッセージの内容に符合する大文字が選択されるように設定することができる。すなわち、入力された短文メッセージに含まれた単語を分析してキーワードを検出し、大文字テーブルに保存されたキーワードのうち、短文メッセージから検出されたキーワードに対応するキーワードを検索した後、検索結果、対応するキーワードに対応する大文字を選択することにより、短文メッセージの内容に符合する大文字が選択される。
【００２８】
最後に、短文メッセージが選択された大文字のラインに沿って表示されるように短文メッセージの外形を変換することにより（Ｓ２４）、変換された短文メッセージは受信者端末を通じて大文字で表示される。この際、短文メッセージにエモーティコン文字が含まれていると、使用者がメッセージ外形変換を希望していないと判断可能であるので、入力された短文メッセージをチェックし、エモーティコン文字が含まれていると、短文メッセージを外形変換せず、そのまま表示する段階をさらに含んでもよい。
【００２９】
図６は、本発明の第２実施例によって、短文メッセージを大文字「Ｍ」の輪郭線に沿って表示した画面を示す図である。入力された短文メッセージは、「Ｉ  ＬＯＶＥ  ＹＯＵ  ＳＯ  ＭＵＣＨ」との文章であり、表示すべき大文字は、大文字Ｍの形態を帯びている。例示された大文字は、横５文字、縦６文字で構成されているが、事前に多様な設定が可能である。入力された短文メッセージは、Ｍ字の左側下端から始まり、大文字の外郭線に沿って配置されており、右側下端で終わる。
【００３０】
図７は、本発明の第２実施例によって、大文字「Ｚ」に沿って短文メッセージが表示される位置を数字で配置したものを示す図である。ここで、例として挙げた大文字の場合も、上記した図６における大文字のように横５文字、縦６文字で構成されている。この際、入力された短文メッセージの「Ｉ  ａｍ  ｓｏｒｒｙ  ｔｏｏ」を、大文字で表示されるように外形変換するためには、以下のような過程を経る。
【００３１】
先ず、移動体通信端末の画面を１バイト文字単位に分割し、画面に表示される順に一連番号を付ける。図７の場合は、左側上端から右側下端まで計３０個の一連番号が付けられる。
【００３２】
また、大文字テーブルに保存された大文字の外郭線の表示順序を認識する。また、選択された大文字の外郭線を構成する文字表示空間に対応する画面分割領域の一連番号を、大文字の外郭線の表示順序によって整列する。例示された大文字「Ｚ」の場合は、１、２、３、４、５、９、１３、１７、２１、２６、２７、２８、２９、３０の順番で一連番号が配列され、前に表示された短文メッセージも、この順で表示される。
【００３３】
次に、短文メッセージを構成する１バイト文字を、その順番で配列された一連番号に１つずつ対応させる。最後に、配列された一連番号の該当画面分割領域に対応する１バイト文字を配置し、配列された一連番号に属しない画面分割領域は、空白文字で満たした短文メッセージを生成する。すなわち、１→「Ｉ」、２→「  」、３→「ａ」、４→「ｍ」、５→「  」、９→「ｓ」、１３→「ｏ」…のような方式で短文メッセージを再配置し、６→「  」、７→「  」、８→「  」…のように短文メッセージが表示されない空間は、空白文字で満たすことにより、短文メッセージを変換する。変換されたメッセージは、受信者端末に表示されるとき、大文字の外郭線の形態で表示される。
【００３４】
図８は、本発明の第３実施例による短文メッセージ表示方法を示すフローチャートである。先ず、メッセージセンターから短文メッセージを受信する（Ｓ３１）。また、数種の文字列図形を含んでいる文字列図形テーブルを認識する（Ｓ３２）。この際、文字列図形とは、多様な長さの文字列を左右上下に配置して、特定の外形を構成したものを意味する。具体的な形態は、図９と図１０に示されている。
【００３５】
次に、入力された短文メッセージを単語別に分割し、分割された単語の長さを順に認識する（Ｓ３３）。例えば、「Ｉ  ｌｏｖｅ  ｙｏｕ」との短文メッセージを入力されると、これを、Ｉ、ｌｏｖｅ、ｙｏｕの３つの単語に分割し、それぞれの長さが１、４、３であることを認識する。次に、分割された各単語の長さと対応する文字列の長さを比較し、短文メッセージ内の全ての単語を切らずに、文字列内に表示することができる文字列図形を検索し、最適の文字列図形を選択する（Ｓ３４）。
【００３６】
最後に、短文メッセージの中間位置に特定の文字を挿入することにより、短文メッセージが上記選択された文字列図形で表示されるように、短文メッセージの外形を変換する（Ｓ３５）。この際、短文メッセージにエモーティコン文字が含まれていると、使用者がメッセージ外形変換を希望していないと判断可能であるので、入力された短文メッセージをチェックして、エモーティコン文字が含まれていると、短文メッセージを外形変換せず、そのまま表示する段階をさらに含んでもよい。文字列図形で短文メッセージを示す方法については、図９と図１０を参照してより詳細に説明する。
【００３７】
図９は、本発明の第３実施例によって、一定の文字数の文字列単位で菱形とハート形を表示する文字列図形を示す図である。図９（Ａ）の場合、菱形の文字列図形として、３、８、１０、８、３の長さを有する文字列の配置からなっている。また、（Ｂ）の場合は、３、３、１０、８、６、２の長さを有する文字列を組合せ配置してハート形を示している。この際、文字列図形毎に予め代表キーワードを設定しておくことにより、短文メッセージの内容に適合した文字列図形が選択されるように設定することができる。
【００３８】
これを具現するために、入力された短文メッセージに含まれた単語を分析してキーワードを検出し、文字列図形テーブルの各文字列図形毎に付与された代表キーワードを認識する。また、認識された代表キーワードのうち、先に短文メッセージから検出されたキーワードに対応する代表キーワードを検索し、これに対応する文字列図形を選択することにより、短文メッセージの内容に符合する文字列図形を選択することができる。例えば、（Ｂ）のようにハート形の文字列図形には、「ｌｏｖｅ」との代表キーワードを付与して保存しておくことにより、短文メッセージの内容のうち、「ｌｏｖｅ」に該当する単語が含まれた場合は、ハート形の文字列図形が選択されるように設定することができる。反対に、文字列図形に回避キーワードを設定しておくことにより、短文メッセージから検出されたキーワードを回避キーワードとして有している文字列図形は、選択しないように設定することができる。
【００３９】
図１０は、本発明の第３実施例によって、与えられた短文メッセージの表示に適合した文字列図形を選択する過程を示す図である。入力された短文メッセージが「Ｉ  ｌｏｖｅ  ｙｏｕ」である場合、Ｉ、ｌｏｖｅ、ｙｏｕの３つの単語で構成されており、単語の長さは、それぞれ１、４、３である。また、文章の長さは、空白を含めて計１０文字の長さを有する。このような短文メッセージの表示に適合した文字列図形を選択する過程は、以下の通りである。
【００４０】
先ず、（Ａ）に示した文字列図形について判断してみる。この場合、Ｉとｌｏｖｅは、該当文字列の長さよりも同じか小さいので表示が可能である。しかし、ｙｏｕの場合は、３文字で表示しなければならないので、１文字を表示可能な文字列空間に表示する場合、残りの２文字が切られるようになる。従って、（Ａ）の文字列図形は、入力された短文メッセージの表示に適合していない。
【００４１】
（Ｂ）の場合も同様に、Ｉとｙｏｕは切られずに表示可能であるが、ｌｏｖｅに対応する文字列空間には、３文字のみ表示可能であるので、１文字が切られるようになる。従って、（Ｂ）の文字列図形も、入力された短文メッセージの表示に適合していない。
【００４２】
（Ｃ）の場合は、１、５、７の文字長さをそれぞれ有する文字列で構成された文字列図形である。この場合は、１、４、３の長さを有する単語を全て表示することができるので、（Ｃ）の文字列図形は、入力された短文メッセージの表示に適合していることが分かる。この際、短文メッセージの表示に適合した文字列図形を選択するのにおいて、様々な理由で単語を分割することが不可避な場合がある。また、単語を分割してまで、短文メッセージの内容に符合する文字列図形を選択することが好ましい場合がある。このような場合は、単語が切られる位置にハイフン（「−」）を挿入し、単語が次の文字列に続くことを示すように構成してもよい。
【００４３】
図１１は、本発明の第４実施例による短文メッセージ表示方法を示すフローチャートである。先ず、メッセージセンターから短文メッセージを受信する（Ｓ４１）。また、短文メッセージが縦に表示され、列と列間には空白文字が表示されるように、短文メッセージ内の各文字を再配置し、空白文字を挿入して、短文メッセージの外形を変換する（Ｓ４２）。列と列間に空白文字が表示されるように変換する理由は、空白を表示しない場合、列に沿って表示された短文メッセージの可読性に劣るからである。
【００４４】
図１２は、本発明の第４実施例によって、短文メッセージを縦に表示した画面を示す図である。入力された短文メッセージの「Ｉ  ｕｎｄｅｒｓｔａｎｄ  ｙｏｕ」を外形変換して、受信者端末では、短文メッセージが縦に表示され、縦列は空白として、間隔が離れているので、可読性を高めている。
【００４５】
以上、実施例を挙げて本発明をより詳細に説明したが、本発明は、必ずしもこれらの実施例に極限されるものではなく、本発明の技術思想を外れない範囲内で様々な変形実施が可能である。従って、本発明に開示された実施例は、本発明の技術思想を限定するためのものではなく、説明のためのものであり、このような実施例によって本発明の技術思想の範囲が限定されるものではない。本発明の保護範囲は、下記の請求の範囲によって解釈されなければならず、それと同等な範囲内にある全ての技術思想は、本発明の権利範囲に含まれるものと解釈されなければならない。
【図１】
2010519564.tif 000003
【図２】
2010519564.tif 000004
【図３】
2010519564.tif 000005
【図４（Ａ）】
2010519564.tif 000006
【図４（Ｂ）】
2010519564.tif 000007
【図５】
2010519564.tif 000008
【図６】
2010519564.tif 000009
【図７】
2010519564.tif 000010
【図８】
2010519564.tif 000011
【図９（Ａ）】
2010519564.tif 000012
【図９（Ｂ）】
2010519564.tif 000013
【図１０】
2010519564.tif 000014
【図１１】
2010519564.tif 000015
【図１２】
2010519564.tif 000016
【手続補正書】
【提出日】平成21年6月30日(2009.6.30)
【手続補正１】
【補正対象書類名】明細書
【補正対象項目名】全文
【補正方法】変更
【補正の内容】
【発明の詳細な説明】
【技術分野】
【０００１】
本発明は、外形変換による移動体通信の文字メッセージ表示方法に関し、特に、文字メッセージを受信者に見せるとき、多様な模様に変換してディスプレイすることにより、使用者の満足度を極大化する技術に関する。
【背景技術】
【０００２】
最近、文字メッセージは、移動体通信データ通信市場において、最大な規模の市場を形成しているが、韓国内の場合、ＷＡＰデータ市場と比較するとき、これに対する付加サービスを相対的に多様に提供していない実情である。現在、提供される文字メッセージの代表的な付加サービスとしては、天気、スポーツ、株式等の情報提供サービス、Ｗｅｂ  ｔｏ  Ｐｈｏｎｅサービスにおいて、装飾メッセージの購買／伝送と、一般メッセージの作成／伝送サービス、また、Ｐｈｏｎｅ  ｔｏ  Ｐｈｏｎｅ方式のエモーティコン装飾サービス等がある。
【０００３】
文字伝送量の大部分を個人間メッセージ伝送が占めているので、Ｐｈｏｎｅ  ｔｏ  Ｐｈｏｎｅ方式以外のサービスは、未だ市場が微弱である。Ｐｈｏｎｅ  ｔｏ  Ｐｈｏｎｅ方式のエモーティコン装飾サービスは、個人間メッセージ伝送方式であり、発展可能性が高いが、文字エモーティコン装飾が単調であり、持続的な関心が得難い。
【０００４】
ＧＳＭは、メーカー別に端末の文字セットが異なり、そのうち共通文字のみでエモーティコンを作成しなければならないので、エモーティコンが多様ではなく、それにより、サービスの品質が低下する。特に、単語認識による装飾の場合、認識が正確であれば、サービス使用者に満足感を与えるが、認識が誤ると、却って不満足をもたらす。これは、正確な認識そのものが困難であるという問題があった。
【０００５】
携帯端末のサポート文字セットが異なる場合の問題点は、以下の通りである。例えば、中国ＧＳＭの場合は、エモーティコンが広く認識されておらず、ウェブでも広く使用されていない。それにより、本文メッセージである簡字体の漢字はよく伝達されるが、アウトラインを示す文字は、これをサポートする携帯端末とサポートしない携帯端末が混在されている。すなわち、携帯端末がサポートする文字セットが異なる場合、各携帯端末でサポートする文字セットの共通集合は、少数の文字のみを含み、これは、エモーティコン・コンテンツの内容を制限するようになり、サービスの質的低下につながるという問題点があった。
【発明の概要】
【発明が解決しようとする課題】
【０００６】
本発明は、前記問題点に鑑みなされたものであり、文字メッセージを多様な模様に変換してディスプレイすることにより、使用者の満足度を極大化する技術を提供することを目的とする。
【０００７】
また、携帯端末の文字セットが同一ではなくても、該当地域の基本言語をサポートすると、適用可能な技術を提供することを他の目的とする。
【課題を解決するための手段】
【０００８】
本発明の第１実施例は、メッセージセンターからメッセージを受信する段階と、複数個の横方向の１バイト文字表示空間と、複数個の縦方向の１バイト文字表示空間との文字マトリクスで構成された複数個の１バイト文字表示空間に特定の文字を表示し、各ＡＳＣＩＩ文字の形態を簡略に示すドット・マトリクス文字からなるドット・マトリクス文字テーブルを認識する段階と、メッセージに含まれた各ＡＳＣＩＩ文字をドット・マトリクス文字テーブル内の対応するドット・マトリクス文字で表示し、ドット・マトリクス文字が整列された形態で表示されるように、メッセージの外形を変換する段階と、を含んで構成される。
【０００９】
本発明の第２実施例は、メッセージセンターからメッセージを受信する段階と、大型文字を数種含む大文字テーブルを認識する段階であって、大文字の各々は、１バイトの文字単位で外郭線を形成することにより示された１つの大文字の形態で表示される、大文字テーブルを認識する段階と、入力されたメッセージの長さを確認し、かつメッセージの表現に適合した外郭線の長さを有する大文字を検索することにより、最適の大文字を選択する段階と、メッセージが、選択された大文字の外郭線に沿って表示されるように、メッセージの外形を変換する段階と、を含んで構成される。
【００１０】
本発明の第３実施例は、メッセージセンターからメッセージを受信する段階と、複数の文字列図形を含む文字列図形テーブルを認識する段階であって、複数の文字列図形の各々は、左右上下に多様な長さを有する文字列を配置することにより得られる特定の外形を有する、文字列図形テーブルを認識する段階と、入力されたメッセージを単語に分割し、分割された単語の長さを順次認識する段階と、メッセージ内の全ての単語が切断されることなく各文字列内に表示可能な文字列図形を検索するために、最適の文字列図形を選択する段階と、メッセージの中間位置に特定の文字を挿入することにより、メッセージが選択された文字列図形で表示されるように、メッセージの外形を変換する段階と、を含んで構成される。
【００１１】
本発明の第４実施例は、メッセージセンターからメッセージを受信する段階と、メッセージが縦に表示され、列間には、空白文字が表示されるように、メッセージ内に含まれる文字を再配置し、空白文字を挿入して、メッセージの外形を変換する段階と、を含んで構成される。
【発明の効果】
【００１２】
本発明によると、文字メッセージを多様な模様に変換してディスプレイすることにより、使用者の満足度を極大化するという長所がある。
【００１３】
また、携帯端末の文字セットが同一ではなくても、該当地域の基本言語をサポートすると、適用可能であるという長所がある。
【図面の簡単な説明】
【００１４】
【図１】本発明を具現するための移動体通信網の構成図である。
【図２】本発明が適用された移動体通信端末の内部構成図である。
【図３】本発明の第１実施例による文字メッセージ表示方法を示すフローチャートである。
【図４】本発明の第１実施例において、１６０バイトディスプレイが可能なＧＳＭ移動体通信端末を通じて、メッセージをドット・マトリクス文字に変換表示した画面と、ドット・マトリクス文字で示したアルファベットを示す図である。
【図５】本発明の第２実施例による文字メッセージ表示方法を示すフローチャートである。
【図６】本発明の第２実施例において、メッセージを大文字「Ｍ」の輪郭線に沿って表示した画面を示す図である。
【図７】本発明の第２実施例において、大文字「Ｚ」に沿ってメッセージが表示される位置を数字で配置したものを示す図である。
【図８】本発明の第３実施例による文字メッセージ表示方法を示すフローチャートである。
【図９】本発明の第３実施例において、一定の文字数の文字列単位で菱形とハート形を表示する文字列図形を示す図である。
【図１０】本発明の第３実施例において、メッセージの表示に適合した文字列図形を選択する過程を示す図である。
【図１１】本発明の第４実施例によるメッセージ表示方法を示すフローチャートである。
【図１２】本発明の第４実施例において、メッセージを縦に表示した画面を示す図である。
【発明を実施するための形態】
【００１５】
以下、添付した図面に基づき、本発明の好適な実施例について詳述する。
図１は、本発明を具現するための移動体通信網の構成図である。移動体通信網は、送信者端末１０、受信者端末２０、ＳＭＳ（ショートメッセージサービス）  Ｇ／Ｗ（Ｇａｔｅｗａｙ）３０、ＳＭＳセンタ４０、サービスサーバ５０、ＭＭＳセンタ６０、及びＭＭＳ受信端末７０で構成される。詳細には、送信者端末１０から伝送された文字メッセージがＳＭＳセンタ４０またはＭＭＳセンタ６０を通してサービスサーバ５０に入力されると、サービスサーバ５０は、メッセージを与えられた条件に従い、加工された形態で表示されるように、メッセージの外形を変換した後、受信者端末２０に伝送し、受信者端末２０は、上記外形変換されたメッセージを使用者にディスプレイする。
【００１６】
本発明による移動体通信の文字メッセージ表示方法は、上述したようにサービスサーバ５０で行われてもよいが、受信者端末２０またはＭＭＳ受信端末７０または送信者端末１０で行われてもよい。送信者端末１０で行う場合、メッセージの伝送前に、送信者端末の使用者が伝送すべきメッセージの長さ（バイト数）に合う外形変換形態を選択し、それにより、メッセージの外形を変換し、その外形変換結果を直接受信者端末２０またはＭＭＳ受信端末７０に伝送することができ、この際、送信者は、送信者端末１０を通じて、気に入るまで伝送すべきメッセージをＷＩＺＷＩＧ方式で変化させることができる。
【００１７】
図２は、本発明が適用された移動体通信端末の内部構成図であって、本明細書では、図１の受信者端末２０に適用された実施例として説明する。受信者端末２０は、デュープレクサー２１、送信部２２、受信部２３、制御部２４、メモリ２５、表示部２６で構成される。デュープレクサー２１は、アンテナを介して基地局と通信して送受信信号を分離し、送信部２２は、無線信号をデュープレクサー２１に出力し、受信部２３は、デュープレクサー２１から入力された無線信号を制御部２４に出力する。
【００１８】
制御部２４は、移動体通信端末の全般的な動作を制御するが、特に、受信部２３からメッセージを入力されると、その長さ（バイト数）を感知した後、それに合う外形変換形態をメモリ２５から選択し、以降、その選択された外形変換形態に合わせてメッセージを変換して表示部２６に出力する。メモリ２５は、端末の全般的な動作を制御する所定のプログラムを保存し、表示部２６は、制御部２４を通じて外形変換されたメッセージを使用者にディスプレイする。
【００１９】
図３は、本発明の第１実施例による文字メッセージ表示方法を示すフローチャートである。先ず、メッセージセンターからメッセージを受信する（Ｓ１１）。メッセージの受信主体はサービスサーバであってもよく、メッセージの変換が端末で行われる場合は、受信者端末がメッセージの受信主体であってもよい。
【００２０】
次いで、各ＡＳＣＩＩ文字の形態を簡略に示すドット・マトリクス文字からなるドット・マトリクス文字テーブルを認識する（Ｓ１２）。ドット・マトリクス文字とは、複数個の横方向の１バイト文字表示空間と、複数個の縦方向の１バイト文字表示空間との文字マトリクス（Ｎ×Ｍの文字マトリクス）で構成された複数個の１バイト文字表示空間に特定の文字を表示して文字形態を示したものである。厳密に言うと、一般の文字ディスプレイも、数個のピクセルが集まって文字を表示するのでドット・マトリクス文字と言えるが、本発明でのドット・マトリクス文字は、１バイト単位の文字表示領域を１つのピクセルのように取り扱うことにより、数個の文字が表示され得る空間に、１つの文字形態を表示することを意味する。
【００２１】
この際、ドット・マトリクス文字を画面に表示するためには、メッセージをそのまま画面に表示することに比べて長さにおいて限界がある。例えば、４×４の文字マトリクスで１つのドット・マトリクス文字を構成する場合であれば、計１６個の１バイト文字が表示される空間を１つの文字形態の表示に用い、文字間の空白に２０バイトの４×５の文字マトリクス空間が必要であるので、本来表示可能なメッセージの長さの１／２０をドット・マトリクス文字で表示可能である。しかしながら、各ラインの終わりには空白が必要でないので、本来表示可能なメッセージの長さに比べて、約１／１８乃至１／１９の長さをドット・マトリクス文字で表示することができる。従って、入力されたメッセージの長さを確認し、ドット・マトリクス文字の表示に所要するバイト数と移動体通信端末の表示可能なバイト数を比較することにより、入力されたメッセージがドット・マトリクス文字の表示に適合するか否かを判断する段階をさらに含んでもよい。
【００２２】
移動体通信に応じて表示可能なバイト数が異なるが、例えば、ＣＤＭＡ方式の場合は、計８０バイトの文字表示が可能であり、ＧＳＭ方式の場合は、計１６０バイトの文字表示が可能である。従って、文字マトリクスを、５個の横方向の１バイト文字表示空間と、４個の縦方向の１バイト文字表示空間とで構成し、計２０個の文字表示空間で構成された２０バイトサイズのドット・マトリクス文字を示すように構成する場合は、ＣＤＭＡの場合、４個のドット・マトリクス文字を表示することができ、ＧＳＭの場合は、８個のドット・マトリクス文字を表示することができる。すなわち、表示可能なメッセージの長さが極めて限定されることが分かる。
【００２３】
次に、メッセージに含まれた各ＡＳＣＩＩ文字をドット・マトリクス文字テーブル内の対応するドット・マトリクス文字で表示することにより、ドット・マトリクス文字が整列された形態で表示されるように、メッセージの外形を変換する（Ｓ１３）。メッセージにエモーティコン文字が含まれていると、使用者がメッセージ外形変換を希望していないと判断することができるので、入力されたメッセージをチェックし、エモーティコン文字が含まれていると、メッセージを外形変換せず、そのまま表示する段階をさらに含んでもよい。
【００２４】
図４は、本発明の第１実施例において、１６０バイトディスプレイが可能なＧＳＭ移動体通信端末を通じて、メッセージをドット・マトリクス文字に変換表示した画面と、ドット・マトリクス文字で示したアルファベットを示す図である。図４（Ａ）の場合、横２０バイト、縦８行で画面が表示されるＧＳＭ移動体通信端末を挙げているが、画面上に、１バイト文字を基準として、横３文字、縦４文字で構成されたドット・マトリクス文字が表示されている。すなわち、ドット・マトリクス文字が、横５文字、縦２文字で計１０文字が表示可能である。入力されたメッセージの「Ｉ  ｌｏｖｅ  ｙｏｕ」は、計８文字と２文字空間の空白とで構成されてるいが、ここでは、空白を無視し、計８文字に該当する内容をドット・マトリクス文字に変換して見せている。しかしながら、このように３×４の文字マトリクスで表現可能なアルファベットの種類には限界があるので、文字マトリクスを３×５、４×５、５×５まで拡張して混用する必要がある。このように、ドット・マトリクス文字の大きさを拡張して表現したアルファベットが、図４（Ｂ）に示されている。
【００２５】
図４（Ｂ）は、２６文字のアルファベットを３×５、４×５、５×５の文字マトリクスで構成したドット・マトリクス文字で示した図である。１つのアルファベットを４×４の文字マトリクスのドット・マトリクス文字に変換する場合、一部のアルファベットは表現が不可能であり、他の一部のアルファベットは可読性に劣る。従って、ドット・マトリクス文字を構成するバイト数を一部拡張し、各アルファベットを示すドット・マトリクス文字を混用することにより、全てのアルファベットをドット・マトリクス文字で表示することができ、可読性を高めることができる。このように、他のドット・マトリクス文字を混用して用いる場合は、ドット・マトリクス文字で表示されるメッセージのバイト数を画一的に計算することができないので、アドホック（ａｄ−ｈｏｃ）を通じてドット・マトリクス文字に変換されたメッセージが文字伝送可能な最大容量を違反していないかを計算する。
【００２６】
図５は、本発明の第２実施例による文字メッセージ表示方法を示すフローチャートである。先ず、メッセージセンターからメッセージを受信する（Ｓ２１）。また、数種の大文字を含んでいる大文字テーブルを認識する（Ｓ２２）。この際、大文字とは、１バイト文字単位で外郭線を形成し、Ａ、Ｂ、Ｃ等のアルファベットのような１つの大きな文字形態で表示したものを意味する。大文字の具体的な表示例は、図６と図７に示されている。
【００２７】
次に、入力されたメッセージの長さを確認し、メッセージの表現に適合した外郭線の長さを有する大文字を検索することにより、最適の大文字を選択する（Ｓ２３）。上記段階は、大文字の種類に応じて外郭線の長さが異なるので、メッセージが切られないながら大文字の外郭線を全て表示することができる場合を選択するためのものである。この際、最適の大文字の選択を助けるために、大文字テーブルには、各大文字毎に象徴的なキーワードを付与しておくことにより、該当メッセージの内容に符合する大文字が選択されるように設定することができる。すなわち、入力されたメッセージに含まれた単語を分析してキーワードを検出し、大文字テーブルに保存されたキーワードのうち、メッセージから検出されたキーワードに対応するキーワードを検索した後、検索結果、対応するキーワードに対応する大文字を選択することにより、メッセージの内容に符合する大文字が選択される。
【００２８】
最後に、メッセージが選択された大文字のラインに沿って表示されるようにメッセージの外形を変換することにより（Ｓ２４）、変換されたメッセージは受信者端末を通じて大文字で表示される。この際、メッセージにエモーティコン文字が含まれていると、使用者がメッセージ外形変換を希望していないと判断可能であるので、入力されたメッセージをチェックし、エモーティコン文字が含まれていると、メッセージを外形変換せず、そのまま表示する段階をさらに含んでもよい。
【００２９】
図６は、本発明の第２実施例によって、文字メッセージを大文字「Ｍ」の輪郭線に沿って表示した画面を示す図である。入力されたメッセージは、「Ｉ  ＬＯＶＥ  ＹＯＵ  ＳＯ  ＭＵＣＨ」との文章であり、表示すべき大文字は、大文字Ｍの形態を帯びている。例示された大文字は、横５文字、縦６文字で構成されているが、事前に多様な設定が可能である。入力されたメッセージは、Ｍ字の左側下端から始まり、大文字の外郭線に沿って配置されており、右側下端で終わる。
【００３０】
図７は、本発明の第２実施例によって、大文字「Ｚ」に沿ってメッセージが表示される位置を数字で配置したものを示す図である。ここで、例として挙げた大文字の場合も、上記した図６における大文字のように横５文字、縦６文字で構成されている。この際、入力されたメッセージの「Ｉ  ａｍ  ｓｏｒｒｙ  ｔｏｏ」を、大文字で表示されるように外形変換するためには、以下のような過程を経る。
【００３１】
先ず、移動体通信端末の画面を１バイト文字単位に分割し、画面に表示される順に一連番号を付ける。図７の場合は、左側上端から右側下端まで計３０個の一連番号が付けられる。
【００３２】
また、大文字テーブルに保存された大文字の外郭線の表示順序を認識する。また、選択された大文字の外郭線を構成する文字表示空間に対応する画面分割領域の一連番号を、大文字の外郭線の表示順序によって整列する。例示された大文字「Ｚ」の場合は、１、２、３、４、５、９、１３、１７、２１、２６、２７、２８、２９、３０の順番で一連番号が配列され、前に表示されたメッセージも、この順で表示される。
【００３３】
次に、メッセージを構成する１バイト文字を、その順番で配列された一連番号に１つずつ対応させる。最後に、配列された一連番号の該当画面分割領域に対応する１バイト文字を配置し、配列された一連番号に属しない画面分割領域は、空白文字で満たしたメッセージを生成する。すなわち、１→「Ｉ」、２→「  」、３→「ａ」、４→「ｍ」、５→「  」、９→「ｓ」、１３→「ｏ」…のような方式でメッセージを再配置し、６→「  」、７→「  」、８→「  」…のようにメッセージが表示されない空間は、空白文字で満たすことにより、メッセージを変換する。変換されたメッセージは、受信者端末に表示されるとき、大文字の外郭線の形態で表示される。
【００３４】
図８は、本発明の第３実施例による文字メッセージ表示方法を示すフローチャートである。先ず、メッセージセンターからメッセージを受信する（Ｓ３１）。また、数種の文字列図形を含んでいる文字列図形テーブルを認識する（Ｓ３２）。この際、文字列図形とは、多様な長さの文字列を左右上下に配置して、特定の外形を構成したものを意味する。具体的な形態は、図９と図１０に示されている。
【００３５】
次に、入力されたメッセージを単語別に分割し、分割された単語の長さを順に認識する（Ｓ３３）。例えば、「Ｉ  ｌｏｖｅ  ｙｏｕ」とのメッセージを入力されると、これを、Ｉ、ｌｏｖｅ、ｙｏｕの３つの単語に分割し、それぞれの長さが１、４、３であることを認識する。次に、分割された各単語の長さと対応する文字列の長さを比較し、メッセージ内の全ての単語を切らずに、文字列内に表示することができる文字列図形を検索し、最適の文字列図形を選択する（Ｓ３４）。
【００３６】
最後に、メッセージの中間位置に特定の文字を挿入することにより、メッセージが上記選択された文字列図形で表示されるように、メッセージの外形を変換する（Ｓ３５）。この際、メッセージにエモーティコン文字が含まれていると、使用者がメッセージ外形変換を希望していないと判断可能であるので、入力されたメッセージをチェックして、エモーティコン文字が含まれていると、メッセージを外形変換せず、そのまま表示する段階をさらに含んでもよい。文字列図形でメッセージを示す方法については、図９と図１０を参照してより詳細に説明する。
【００３７】
図９は、本発明の第３実施例によって、一定の文字数の文字列単位で菱形とハート形を表示する文字列図形を示す図である。図９（Ａ）の場合、菱形の文字列図形として、３、８、１０、８、３の長さを有する文字列の配置からなっている。また、（Ｂ）の場合は、３、３、１０、８、６、２の長さを有する文字列を組合せ配置してハート形を示している。この際、文字列図形毎に予め代表キーワードを設定しておくことにより、メッセージの内容に適合した文字列図形が選択されるように設定することができる。
【００３８】
これを具現するために、入力されたメッセージに含まれた単語を分析してキーワードを検出し、文字列図形テーブルの各文字列図形毎に付与された代表キーワードを認識する。また、認識された代表キーワードのうち、先にメッセージから検出されたキーワードに対応する代表キーワードを検索し、これに対応する文字列図形を選択することにより、メッセージの内容に符合する文字列図形を選択することができる。例えば、（Ｂ）のようにハート形の文字列図形には、「ｌｏｖｅ」との代表キーワードを付与して保存しておくことにより、メッセージの内容のうち、「ｌｏｖｅ」に該当する単語が含まれた場合は、ハート形の文字列図形が選択されるように設定することができる。反対に、文字列図形に回避キーワードを設定しておくことにより、メッセージから検出されたキーワードを回避キーワードとして有している文字列図形は、選択しないように設定することができる。
【００３９】
図１０は、本発明の第３実施例によって、与えられたメッセージの表示に適合した文字列図形を選択する過程を示す図である。入力されたメッセージが「Ｉ  ｌｏｖｅ  ｙｏｕ」である場合、Ｉ、ｌｏｖｅ、ｙｏｕの３つの単語で構成されており、単語の長さは、それぞれ１、４、３である。また、文章の長さは、空白を含めて計１０文字の長さを有する。このようなメッセージの表示に適合した文字列図形を選択する過程は、以下の通りである。
【００４０】
先ず、（Ａ）に示した文字列図形について判断してみる。この場合、Ｉとｌｏｖｅは、該当文字列の長さよりも同じか小さいので表示が可能である。しかし、ｙｏｕの場合は、３文字で表示しなければならないので、１文字を表示可能な文字列空間に表示する場合、残りの２文字が切られるようになる。従って、（Ａ）の文字列図形は、入力されたメッセージの表示に適合していない。
【００４１】
（Ｂ）の場合も同様に、Ｉとｙｏｕは切られずに表示可能であるが、ｌｏｖｅに対応する文字列空間には、３文字のみ表示可能であるので、１文字が切られるようになる。従って、（Ｂ）の文字列図形も、入力されたメッセージの表示に適合していない。
【００４２】
（Ｃ）の場合は、１、５、７の文字長さをそれぞれ有する文字列で構成された文字列図形である。この場合は、１、４、３の長さを有する単語を全て表示することができるので、（Ｃ）の文字列図形は、入力されたメッセージの表示に適合していることが分かる。この際、メッセージの表示に適合した文字列図形を選択するのにおいて、様々な理由で単語を分割することが不可避な場合がある。また、単語を分割してまで、メッセージの内容に符合する文字列図形を選択することが好ましい場合がある。このような場合は、単語が切られる位置にハイフン（「−」）を挿入し、単語が次の文字列に続くことを示すように構成してもよい。
【００４３】
図１１は、本発明の第４実施例による文字メッセージ表示方法を示すフローチャートである。先ず、メッセージセンターからメッセージを受信する（Ｓ４１）。また、メッセージが縦に表示され、列と列間には空白文字が表示されるように、メッセージ内の各文字を再配置し、空白文字を挿入して、メッセージの外形を変換する（Ｓ４２）。列と列間に空白文字が表示されるように変換する理由は、空白を表示しない場合、列に沿って表示されたメッセージの可読性に劣るからである。
【００４４】
図１２は、本発明の第４実施例によって、メッセージを縦に表示した画面を示す図である。入力されたメッセージの「Ｉ  ｕｎｄｅｒｓｔａｎｄ  ｙｏｕ」を外形変換して、受信者端末では、メッセージが縦に表示され、縦列は空白として、間隔が離れているので、可読性を高めている。
【手続補正２】
【補正対象書類名】特許請求の範囲
【補正対象項目名】全文
【補正方法】変更
【補正の内容】
【特許請求の範囲】
【請求項１】
移動体通信端末に適用するための文字メッセージの表示方法であって、
文字メッセージを受信する段階と、
複数個の横方向の１バイト文字表示空間と、複数個の縦方向の１バイト文字表示空間との文字マトリクスで構成された複数個の１バイト文字表示空間に特定の文字を表示し、各ＡＳＣＩＩ文字の形態を簡略に示すドット・マトリクス文字からなるドット・マトリクス文字テーブルを認識する段階と、
前記メッセージに含まれた各ＡＳＣＩＩ文字を前記ドット・マトリクス文字テーブル内の対応するドット・マトリクス文字で表示し、前記ドット・マトリクス文字が整列されるように、前記メッセージの外形を変換する段階と
を備える、移動体通信の文字メッセージ表示方法。
【請求項２】
前記入力されたメッセージの長さを確認し、前記メッセージをドット・マトリクス文字で表示する場合に占めるバイト数と前記移動体通信端末の表示可能なバイト数を比較し、前記メッセージがドット・マトリクス文字の表示に適合するか否かを判断する段階をさらに備える、請求項１に記載の移動体通信の文字メッセージ表示方法。
【請求項３】
前記ドット・マトリクス文字テーブルを認識する段階において、ドット・マトリクス文字テーブルは、１６バイトサイズのドット・マトリクス文字を含み、該ドット・マトリクス文字の各々は、４個の横方向の１バイト文字表示空間と、４個の縦方向の１バイト文字表示空間とで構成された文字マトリクスを形成する１６個の文字表示空間で構成されている、請求項２に記載の移動体通信の文字メッセージ表示方法。
【請求項４】
前記入力されたメッセージをチェックする段階と、
エモーティコン文字が含まれている場合に、前記メッセージを外形変換せずにそのまま表示する段階と
をさらに備える、請求項１乃至３のいずれか一項に記載の移動体通信の文字メッセージ表示方法。
【請求項５】
移動体通信端末に適用するための文字メッセージの表示方法であって、
文字メッセージを受信する段階と、
大文字を数種含む大文字テーブルを認識する段階であって、前記大文字の各々は、１バイトの文字単位で外郭線を形成することにより示された１つの大文字の形態で表示される、前記大文字テーブルを認識する段階と、
前記入力されたメッセージの長さを確認し、かつ前記メッセージの表現に適合した外郭線の長さを有する大文字を検索することにより、大文字を選択する段階と、
移動体通信端末の画面を１バイト文字領域に分割し、前記文字領域が前記画面に表示される順に、前記文字領域に番号を付ける段階と、
前記大文字テーブルに保存された各大文字の外郭線の表示順序を認識する段階と、
前記選択された大文字の外郭線を構成する文字表示空間に対応する画面分割領域の一連番号を、前記大文字の外郭線の表示順序に従って配列する段階と、
前記配列された一連番号に、前記メッセージを構成する１バイト文字を１つずつ対応させる段階と、
前記配列された一連番号の画面分割領域に前記１バイト文字がそれぞれ配置され、前記配列された一連番号に属しない画面分割領域は、空白文字で満たされるように、メッセージを生成する段階と
を備える、移動体通信の文字メッセージ表示方法。
【請求項６】
前記大文字を選択する段階は、
前記入力されたメッセージに含まれた単語を分析してキーワードを検出する段階と、
前記大文字テーブルに保存されたキーワードのうち、前記メッセージから検出されたキーワードに対応するキーワードを検索する段階と、
前記検索されたキーワードに対応する大文字を選択する段階と
を含む、請求項５に記載の移動体通信の文字メッセージ表示方法。
【請求項７】
前記入力されたメッセージをチェックする段階と、
エモーティコン文字が含まれている場合に、前記メッセージを外形変換せずにそのまま表示する段階と
をさらに含む、請求項６に記載の移動体通信の文字メッセージ表示方法。
【請求項８】
移動体通信端末に適用するための文字メッセージの表示方法であって、
文字メッセージを受信する段階と、
複数の文字列図形を含む文字列図形テーブルを認識する段階であって、前記複数の文字列図形の各々は、左右上下に多様な長さを有する文字列を配置することにより得られる特定の外形を有する、前記文字列図形テーブルを認識する段階と、
前記入力されたメッセージを単語に分割し、分割された前記単語の長さを順次認識する段階と、
前記メッセージ内の全ての単語が、切断されることなく各文字列内に表示可能な文字列図形を検索するために、前記分割された単語の長さと対応する文字列の長さとを比較して文字列図形を選択する段階と、
前記メッセージの中間位置に特定の文字を挿入することにより、前記メッセージが前記選択された文字列図形で表示されるように、前記メッセージの外形を変換する段階と
を備える、移動体通信の文字メッセージ表示方法。
【請求項９】
前記文字列図形を選択する段階は、
前記入力されたメッセージに含まれた単語を分析してキーワードを検出する段階と、
前記文字列図形テーブルの各文字列図形に付与された代表キーワードを認識する段階と、
前記代表キーワードのうち、前記メッセージから検出されたキーワードに対応する代表キーワードを検索する段階と、
検索された前記代表キーワードに対応する文字列図形を選択する段階と
を含む、請求項８に記載の移動体通信の文字メッセージ表示方法。
【請求項１０】
前記文字列図形を選択する段階は、
前記文字列図形テーブルの各文字列図形に付与された回避キーワードを認識する段階と、
前記メッセージから検出されたキーワードを回避キーワードとして有する文字列図形を除いた文字列図形のうち、文字列図形を選択する段階と
をさらに含む、請求項９に記載の移動体通信の文字メッセージ表示方法。
【請求項１１】
前記入力されたメッセージをチェックする段階と、
エモーティコン文字が含まれている場合、前記メッセージを外形変換せずにそのまま表示する段階と
をさらに含む、請求項８乃至１０のいずれか一項に記載の移動体通信の文字メッセージ表示方法。
【請求項１２】
移動体通信端末に適用するための文字メッセージの表示方法であって、
文字メッセージを受信する段階と、
前記メッセージが縦に表示され、列間には空白文字が表示されるように、前記メッセージ内に含まれる文字を再配置し、空白文字を挿入して、前記メッセージの外形を変換する段階と、
前記入力されたメッセージをチェックする段階と、
エモーティコン文字が含まれている場合、前記メッセージを外形変換せずにそのまま表示する段階と
を備える移動体通信の文字メッセージ表示方法。
【手続補正３】
【補正対象書類名】図面
【補正対象項目名】図３
【補正方法】変更
【補正の内容】
【図３】
2010519564.tif 000017
【手続補正４】
【補正対象書類名】図面
【補正対象項目名】図５
【補正方法】変更
【補正の内容】
【図５】
2010519564.tif 000018
【手続補正５】
【補正対象書類名】図面
【補正対象項目名】図８
【補正方法】変更
【補正の内容】
【図８】
2010519564.tif 000019
【手続補正６】
【補正対象書類名】図面
【補正対象項目名】図１１
【補正方法】変更
【補正の内容】
【図１１】
2010519564.tif 000020
【国際調査報告】
2010519564.tif 000021
2010519564.tif 000022
2010519564.tif 000023